(57)【要約】      （修正有）【解決手段】上部フレーム１と底部２とはね上げ側壁３と分割側壁４とからなる折り畳みコンテナーにおいて、分割側壁４に、底部２或いは／及び上部フレーム１の垂直外側面と面一な垂直外側面を有する挟持壁部５を形成したものである。【効果】分割側壁に、底部或いは／及び上部フレームの垂直外側面と面一な垂直外側面を有する挟持壁部を形成ので、箱型に組み立てられた折り畳みコンテナーと自動機の挟持部材との当接面積が、従来の箱型に組み立てられた折り畳みコンテナーと自動機の挟持部材との当接面積に較べて大きくなり、従って、自動機の相対する挟持部材に挟持された箱型に組み立てられた折り畳みコンテナーが落下するようなことを防止することができる。【選択図】図１
2007314205.tif 000002
【特許請求の範囲】
【請求項１】
上部フレームと底部とはね上げ側壁と分割側壁とからなる折り畳みコンテナーにおいて、分割側壁に、底部或いは／及び上部フレームの垂直外側面と面一な垂直外側面を有する挟持壁部を形成したことを特徴とする折り畳みコンテナー。
【請求項２】
挟持壁部を形成したことにより、分割側壁に形成される凹部内に、はね上げ側壁を回動させた際に、はね上げ側壁の凹部内への入り込みを阻止する入り込み阻止部材が形成されていることを特徴とする請求項１に記載の折り畳みコンテナー。
【請求項３】
はね上げ側壁の凹部内に、凹部を形成する天板と底板とを連結する補強リブが形成されていることを特徴とする請求項１又は請求項２に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、図７に示されているように、額縁状の上部フレーム１と、底部２と、上部フレーム１の短辺部１ａにその上端部がヒンジ連結された、折り畳みコンテナーの内側方向に回動可能な側壁（以下、この側壁を、はね上げ側壁という。）３と、適当なヒンジ部を介して連結された上部分割側壁４ａと下部分割側壁４ｂとから構成されており、且つ、上部分割側壁４ａの上端部が、上部フレーム１の長辺部１ｂにヒンジ連結され、また、下部分割側壁４ｂの下端部が、底部２の長辺部２ｂにヒンジ連結された折り畳みコンテナーが知られている。上部分割側壁４ａと下部分割側壁４ｂとにより、折り畳みコンテナーの分割側壁４が構成されている。
【０００３】
箱型に組み立てられた上述した折り畳みコンテナーは、略垂直状態のはね上げ側壁３を、折り畳みコンテナーの内部方向に上方に回動させて略水平状態にし、次いで、略面一状態に略垂直状態の上部分割側壁４ａと下部分割側壁４ｂとを、ヒンジ部分を介して重ねることにより、箱型に組み立てられた折り畳みコンテナーを、高さの低いコンパクトな状態に折り畳むことができるように構成されている。また、折り畳まれた状態の折り畳みコンテナーの上部フレーム１を持ち上げることにより、重なるように折り畳まれている上部分割側壁４ａと下部分割側壁４ｂとを、略垂直状態に拡げ、次いで、はね上げ側壁３を、略垂直に立てることにより、箱型に組み立てることができるように構成されている。
【０００４】
上述した折り畳みコンテナーは、底部２の短辺部２ａの垂直外側面２ａ１が、はね上げ側壁３の最外側面（はね上げ側壁３の一番外側に位置する側面）３ａ１より、外側に位置しており、また、底部２の長辺部２ｂの垂直外側面２ｂ１が、下部分割側壁４ｂの板部４ｂ１の最外側面（下部分割側壁４ｂの一番外側に位置する側面）４ｂ２より、外側に位置しており、従って、底部２の短辺部２ａの垂直外側面２ａ１とはね上げ側壁３の最外側面３ａ１との間及び底部２の長辺部２ｂの垂直外側面２ｂ１と下部分割側壁４ｂの最外側面４ｂ２との間には、所定の間隙Ｄが形成されている。
【０００５】
上述した従来の折り畳みコンテナーは、一例として、特許文献１に開示されている。
【０００６】
ところで、従来から、図８に示されているように、床やコンベヤー等の搬送装置に載置されている箱型に組み立てられた折り畳みコンテナーを、自動機の相対する挟持部材Ｓにより挟持し、所定の場所に搬送することが行われている。
【特許文献１】実公平５−１３７１４号公報
【発明の開示】
【発明が解決しようとする課題】
【０００７】
図８に示されているように、箱型に組み立てられた折り畳みコンテナーを、自動機の相対する挟持部材Ｓにより挟持する際には、強度や剛性が大きな底部２の長辺部２ｂの垂直外側面２ｂ１に、自動機の相対する挟持部材Ｓの垂直面ｓ１を当接することが行われているが、長辺部２ｂの垂直外側面２ｂ１の高さＨ１より高い高さＨ２を有する挟持部材Ｓにより、長辺部２ｂの垂直外側面２ｂ１を挟持しても、挟持部材Ｓの垂直面ｓ１の下端部の一部のみが、長辺部２ｂの垂直外側面２ｂ１に接触しているだけであるので、自動機の挟持部材Ｓによる底部２の挟持が充分ではなく、従って、自動機の相対する挟持部材Ｓに挟持された折り畳みコンテナーが落下するという問題があった。
【０００８】
本発明の目的は、上述した従来の折り畳みコンテナーが有する課題を解決することにある。
【課題を解決するための手段】
【０００９】
本発明は、上述した目的を達成するために、上部フレームと底部とはね上げ側壁と分割側壁とからなる折り畳みコンテナーにおいて、第１には、分割側壁に、底部或いは／及び上部フレームの垂直外側面と面一な垂直外側面を有する挟持壁部を形成したものであり、第２には、挟持壁部を形成したことにより、分割側壁に形成される凹部内には、はね上げ側壁を回動させた際に、はね上げ側壁の凹部内への入り込みを阻止する入り込み阻止部材を形成したものであり、第３には、はね上げ側壁の凹部内に、凹部を形成する天板と底板とを連結する補強リブを形成したものである。
【発明の効果】
【００１０】
本発明は、以上説明したように構成されているので、以下に記載されるような効果を奏する。
【００１１】
分割側壁に、底部或いは／及び上部フレームの垂直外側面と面一な垂直外側面を有する挟持壁部を形成したので、箱型に組み立てられた折り畳みコンテナーと自動機の挟持部材との当接面積が、従来の箱型に組み立てられた折り畳みコンテナーと自動機の挟持部材との当接面積に較べて大きくなり、従って、自動機の相対する挟持部材に挟持された箱型に組み立てられた折り畳みコンテナーが落下するようなことを防止することができる。
【００１２】
挟持壁部を形成したことにより、分割側壁に形成される凹部内には、はね上げ側壁を回動させた際に、はね上げ側壁の凹部内への入り込みを阻止する入り込み阻止部材を形成したので、はね上げ側壁が、分割側壁に形成された凹部内に入り込み、その回動が阻止されるようなことを防止することができる。
【００１３】
はね上げ側壁の凹部内に、凹部を形成する天板と底板とを連結する補強リブを形成したので、箱型に組み立てられた折り畳みコンテナーが、自動機の相対する挟持部材により挟持された際に、挟持壁部が変形するようなことを防止することができ、従って、自動機の挟持部材による箱型に組み立てられた折り畳みコンテナーの挟持を確実に行うことができる。
【発明を実施するための最良の形態】
【００１４】
以下に、本発明の実施例について説明するが、本発明の趣旨を越えない限り何ら、本実施例に限定されるものではない。なお、上述した折り畳みコンテナー及び自動機の共通な部材に関しては、同じ符号を使用するとともに、その詳細な説明は省略する。
【００１５】
本発明においては、折り畳みコンテナーを構成する下部分割側壁４ｂの板部４ｂ１の底部２側に位置する所定の領域を、箱型に組み立てられた折り畳みコンテナーの内側から外側に向かって膨出させることにより、下部分割側壁４ｂに、底部２の長辺部２ｂの垂直外側面２ｂ１と面一な垂直外側面５Ａを有する挟持壁部５が形成されている。このように、折り畳みコンテナーを構成する下部分割側壁４ｂの板部４ｂ１を、箱型に組み立てられた折り畳みコンテナーの内側から外側に向かって膨出させて、挟持壁部５を形成したことにより、箱型に組み立てられた折り畳みコンテナーの内側に位置する下部分割側壁４ｂの板部４ｂ１には、凹部５’が形成されることになる。このように、下部分割側壁４ｂの板部４ｂ１に形成された、挟持壁部５を構成する凹部５’は、天板５ａと底板５ｂと相対する側壁板５ｃと挟持壁部５を形成する垂直奥板５ｄとから構成されている。
【００１６】
下部分割側壁４ｂに形成された挟持壁部５、換言すれば、垂直奥板５ｄの高さＨ３は、自動機の挟持部材Ｓの垂直面ｓ１の高さＨ２と底部２の長辺部２ｂの垂直外側面２ａ１の高さＨ１との差と略等しい高さに形成されている。即ち、底部２の長辺部２ｂの垂直外側面２ｂ１の高さＨ１と下部分割側壁４ｂに形成された挟持壁部５の高さＨ３との和が、自動機の挟持部材Ｓの垂直面ｓ１の高さＨ２と略同じになるように構成されている。
【００１７】
また、下部分割側壁４ｂに形成された挟持壁部５の横幅は、自動機の挟持部材Ｓの横幅と略同じ横幅を有するように構成することが好ましい。例えば、自動機の挟持部材Ｓが、下部分割側壁４ｂの横幅の全幅を挟持するように構成されている場合には、下部分割側壁４ｂに形成された挟持壁部５の横幅も、その全幅が、自動機の挟持部材Ｓに挟持されるように構成されている。
【００１８】
上述したように、下部分割側壁４ｂには、底部２の長辺部２ｂの垂直外側面２ｂ１と面一な垂直外側面５Ａを有する挟持壁部５が形成されているので、自動機の挟持部材Ｓにより、箱型に組み立てられた折り畳みコンテナーを挟持した際には、自動機の挟持部材Ｓの垂直面ｓ１が、折り畳みコンテナーを構成する底部２の長辺部２ｂの垂直外側面２ｂ１と下部分割側壁４ｂに形成された挟持壁部５の垂直外側面５Ａとに当接することになるので、箱型に組み立てられた折り畳みコンテナーと自動機の挟持部材Ｓとの当接面積が、上述した従来の箱型に組み立てられた折り畳みコンテナーと自動機の挟持部材Ｓとの当接面積に較べて大きくなり、従って、自動機の相対する挟持部材Ｓに挟持された箱型に組み立てられた折り畳みコンテナーが落下するようなことを防止することができる。
【００１９】
上述したように、折り畳みコンテナーを構成する下部分割側壁４ｂの板部４ｂ１を、箱型に組み立てられた折り畳みコンテナーの内側から外側に向かって膨出させて、挟持壁部５を形成することにより、下部分割側壁４ｂの板部４ｂ１には、箱型に組み立てられた折り畳みコンテナーの内側に位置する凹部５’が形成されることになる。
【００２０】
ところで、箱型に組み立てられた状態から、折り畳みコンテナーを折り畳む際には、はね上げ側壁３を、上部フレーム１の短辺部１ａとはね上げ側壁３の上端部をヒンジ連結しているヒンジ部を中心に、垂直状態から、図５の矢印Ａ１に示されているように、上方に回動させることになるが、この際、はね上げ側壁３の回動方向の下端の回動方向前方角部Ｐ１が、凹部５’を構成する天板５ａに当接し、はね上げ側壁３の上方への回動が阻止されることがある。このような、はね上げ側壁３の上方への回動障害を防止するために、凹部５’付近に位置するはね上げ側壁３の相対する垂直端面３ｄが当接し、はね上げ側壁３の下端部３ｂが、凹部５’に入り込むことを阻止するような入り込み阻止部材Ｇを、凹部５’付近に位置するはね上げ側壁３の下端部３ａの水平幅方向Ｗ１内に形成することが好ましい。
【００２１】
同様に、折り畳まれた状態から、折り畳みコンテナーを箱型に組み立てる際には、はね上げ側壁３を、上部フレーム１の短辺部１ａとはね上げ側壁３の上端部をヒンジ連結しているヒンジ部を中心に、水平状態から、図６の矢印Ａ２に示されているように、下方に回動させることになるが、この際、はね上げ側壁３の回動方向の下端の回動方向前方角部Ｐ２が、凹部５’を構成する底板５ｂに当接し、はね上げ側壁３の下方への回動が阻止されることがある。このような、はね上げ側壁３の下方への回動障害を防止するために、凹部５’付近に位置するはね上げ側壁３の相対する垂直端面３ｄが当接し、はね上げ側壁３の下端部３ｃが、凹部５’に入り込むことを阻止するような入り込み阻止部材Ｇを、凹部５’付近に位置するはね上げ側壁３の下端部３ｃの水平幅方向Ｗ２内に形成することが好ましい。
【００２２】
上述したような、下部分割側壁４ｂに形成された凹部５’を形成する天板５ａ或いは底板５ｂに当接し、はね上げ側壁３の回動が阻止されることを防止するために、箱型に組み立てられた折り畳みコンテナーを折り畳む際に、折り畳みコンテナーの下部分割側壁４ｂに形成された凹部５’付近に位置するはね上げ側壁３の下端部３ｂの水平幅方向Ｗ１内に、その上端ｇ１が位置し、また、折り畳まれた状態の折り畳みコンテナーを箱型に組み立てる際に、折り畳みコンテナーの下部分割側壁４ｂに形成された凹部５’付近に位置するはね上げ側壁３の下端部３ｃの水平幅方向Ｗ２内に、その下端ｇ２が位置するように、凹部５’内には、底板５ｂから下部分割側壁４ｂの中央部に向かって、上方に傾斜した傾斜リブとして構成されたはね上げ側壁３の入り込み阻止部材Ｇが形成されている。また、はね上げ側壁３の入り込み阻止部材Ｇの先端面ｇ３は、下部分割側壁４ｂの板部４ｂ１の内面４ｂ３及び底部２の長辺部２ａの垂直内側面２ａ２と面一に形成されている。
【００２３】
なお、はね上げ側壁３を回動させた際に、はね上げ側壁３の下端の回動方向前方角部Ｐ１、Ｐ２が、下部分割側壁４ｂに形成された凹部５’の天板５ａ或いは底板５ｂに当接し、はね上げ側壁３の回動が阻止されないようなものであれば、はね上げ側壁３の入り込み阻止部材Ｇは、上述したような傾斜リブに限定されることなく、適当なリブやブロックとすることもできる。このようなリブやブロック等からなる入り込み阻止部材Ｇは、傾斜リブとして形成された入り込み阻止部材Ｇの上端ｇ１や下端ｇ２と同様に、折り畳みコンテナーの下部分割側壁４ｂに形成された凹部５’付近に位置するはね上げ側壁３の下端部３ｂの水平幅方向Ｗ１内及び折り畳みコンテナーの下部分割側壁４ｂに形成された凹部５’付近に位置するはね上げ側壁３の下端部３ｃの水平幅方向Ｗ２内に位置するように形成されることになる。
【００２４】
上述したように、はね上げ側壁３を回動させた際に、はね上げ側壁３の下端の回動方向前方角部Ｐ１、Ｐ２が、下部分割側壁４ｂに形成された凹部５’の天板５ａ或いは底板５ｂに当接し、はね上げ側壁３の回動が阻止されないように、下部分割側壁４ｂに形成された凹部５’内に、その先端面ｇ３が、下部分割側壁４ｂの板部４ｂ１の内面４ｂ３及び底部２の長辺部２ａの垂直内側面２ａ２と面一なはね上げ側壁３の入り込み阻止部材Ｇを形成したので、はね上げ側壁３を回動させた際には、はね上げ側壁３の相対する垂直端面３ｄが、入り込み阻止部材Ｇの先端面ｇ３に当接することになり、従って、はね上げ側壁３の下端の回動方向前方角部Ｐ１、Ｐ２が、下部分割側壁４ｂに形成された凹部５’内に入り込み、凹部５’の天板５ａ或いは底板５ｂに当接して、その回動が阻止されるようなことを防止することができる。
【００２５】
なお、６は、下部分割側壁４ｂに形成された凹部５’の天板５ａと底板５ｂを連結する補強リブであり、このような補強リブ６を形成することにより、箱型に組み立てられた折り畳みコンテナーの底部２の長辺部２ｂを構成する垂直外側面２ｂ１及び下部分割側壁４ｂに形成された挟持壁部５の垂直外側面５Ａが、自動機の相対する挟持部材Ｓにより挟持された際に、強度や剛性が小さい挟持壁部５が変形するようなことを防止することができ、従って、自動機の挟持部材Ｓによる下部分割側壁４ｂの挟持壁部５の挟持を確実に行うことができる。
【００２６】
なお、上述した実施例には、折り畳みコンテナーを構成する下部分割側壁４ｂの板部４ｂ１を、箱型に組み立てられた折り畳みコンテナーの内側から外側に向かって膨出させることにより凹部５’を形成することにより、下部分割側壁４ｂに、挟持壁部５を形成した例が示されているが、このような挟持壁部５を、上部フレーム１付近に位置する上部分割側壁４ａに形成し、上部フレーム１と上部分割側壁４ａに形成された挟持壁部５とを、自動機の相対する挟持部材Ｓにより挟持するように構成することもできる。
【００２７】
上述した挟持壁部５、換言すれば、凹部５’を、分割側壁４を構成する上部分割側壁４ａ或いは下部分割側壁４ｂの何方か一方に形成することも、また、上部分割側壁４ａと下部分割側壁４ｂの両方に形成することもできる。
【図面の簡単な説明】
【００２８】
【図１】図１は、箱型に組み立てられた状態の本発明の折り畳みコンテナーの斜視図である。
【図２】図２は、箱型に組み立てられた状態の本発明の折り畳みコンテナーの内部から見た上部分割側壁や下部分割側壁等の一部断面を含む正面図である。
【図３】図３は、本発明の折り畳みコンテナーを構成する下部分割側壁の部分拡大斜視図である。
【図４】図４は、箱型に組み立てられた状態の本発明の折り畳みコンテナーが自動機の挟持部材により挟持された状態の正面図である。
【図５】図５は、箱型に組み立てられた状態の本発明の折り畳みコンテナーのはね上げ側壁の上方への回動過程を示す図２の部分拡大図である。
【図６】図６は、箱型に組み立てられた状態の本発明の折り畳みコンテナーのはね上げ側壁の下方への回動過程を示す図２の部分拡大図である。
【図７】図７は、箱型に組み立てられた状態の従来の折り畳みコンテナーの斜視図である。
【図８】図８は、箱型に組み立てられた状態の従来の折り畳みコンテナーが自動機の挟持部材により挟持された状態の正面図である。
【符号の説明】
【００２９】
Ｇ・・・・・・・・入り込み阻止部材
１・・・・・・・・上部フレーム
２・・・・・・・・底部
３・・・・・・・・はね上げ側壁
４ａ・・・・・・・上部分割側壁
４ｂ・・・・・・・下部分割側壁
５・・・・・・・・挟持壁部
５’・・・・・・・凹部
６・・・・・・・・補強リブ
【図１】
2007314205.tif 000003
【図２】
2007314205.tif 000004
【図３】
2007314205.tif 000005
【図４】
2007314205.tif 000006
【図５】
2007314205.tif 000007
【図６】
2007314205.tif 000008
【図７】
2007314205.tif 000009
【図８】
2007314205.tif 000010